(57)【要約】【課題】電波センサや磁気シールド等のゴト対策部品を追加することなく、一入賞を複数入賞に見せ掛ける等の新手の電波ゴトに対する監視精度を高める。【解決手段】玉センサ９がオフからオンに切換わるオンエッジの検知からオンからオフに切換わるオフエッジの検知までのオン時間を計時するオン時間計時手段と、オン時間計時手段で計時するオン時間が、予め設定し且つ想定される最小オン時間相当の比較基準値未満となるとき異常と判定するオン時間異常判定手段とを含む。一つのパチンコ玉が玉センサ９を貫通する際、正規にオンの期間にある玉センサ９に向けて、オフの状態を強制的に挿入する不正電波が照射された場合、一つの正規のオンの期間が細かく分断され、想定される最小オン時間相当の比較基準値ＯＮｍｉｎよりもオン時間が短くなることがあり、これを検出する。【選択図】図１６
2011194102.tif 000002
【特許請求の範囲】
【請求項１】
遊技盤に、パチンコ玉の貫通に伴って検出状態となるオンと非検出状態となるオフとが切換わる貫通型の玉センサを設けた遊技部品を備えると共に、
前記玉センサの出力を入力して遊技制御を実行する制御装置を備える弾球遊技機において、
前記制御装置は、
前記玉センサがオフからオンに切換わるオンエッジの検知からオンからオフに切換わるオフエッジの検知までのオン時間を計時するオン時間計時手段と、
前記オン時間計時手段で計時するオン時間が、予め設定し且つ想定される最小オン時間相当の比較基準値未満となるとき異常と判定するオン時間異常判定手段と
を含むことを特徴とする弾球遊技機。
【請求項２】
前記制御装置は、
前記玉センサがオンからオフに切換わるオフエッジの検知からオフからオンに切換わるオンエッジの検知までのオフ時間を計時するオフ時間計時手段と、
前記オフ時間計時手段で計時するオフ時間が、予め設定し且つ想定される最小オフ時間相当の比較基準値未満となるとき異常と判定するオフ時間異常判定手段と
を含むことを特徴とする請求項１記載の弾球遊技機。
【請求項３】
前記制御装置に備えるマイクロプロセッサーのタイマー割込処理において、前記玉センサのオンオフが切換わるエッジの検知でリセットし、前記玉センサのオンオフが切換わらないエッジの非検知でカウントアップするカウンタを設け、
このカウンタを、前記玉センサの出力の計時に用いていることを特徴とする請求項１又は２記載の弾球遊技機。
【請求項４】
前記カウンタのカウント値が所定の上限以上になるとカウントアップを停止させ、次のエッジの検知までカウント値を維持する仕様にしていることを特徴とする請求項３記載の弾球遊技機。
【請求項５】
前記比較基準値は、前記遊技盤に対する実射試験で予め計測した玉センサ毎の出力の実測値に基づいて玉センサ毎に個別設定していることを特徴とする請求項１〜４何れか一項に記載の弾球遊技機。
【請求項６】
前記比較基準値は、前記遊技盤に対する実射試験で予め計測した玉センサ毎の出力の実測値に基づいてそのうちの最小値を代表値として各玉センサに共通設定していることを特徴とする請求項１〜４何れか一項に記載の弾球遊技機。
【請求項７】
パチンコ玉の貫通に伴って検出状態となるオンと非検出状態となるオフとが切換わる貫通型の玉センサに対する不正を監視する玉センサ不正監視装置において、
前記玉センサがオフからオンに切換わるオンエッジの検知からオンからオフに切換わるオフエッジの検知までのオン時間を計時するオン時間計時手段と、
前記オン時間計時手段で計時するオン時間が、予め設定し且つ想定される最小オン時間相当の比較基準値未満となるとき異常と判定するオン時間異常判定手段と
を含むことを特徴とする玉センサ不正監視装置。
【請求項８】
パチンコ玉の貫通に伴って検出状態となるオンと非検出状態となるオフとが切換わる貫通型の玉センサに対する不正を監視する玉センサ不正監視装置において、
前記玉センサがオフからオンに切換わるオンエッジの検知からオンからオフに切換わるオフエッジの検知までのオン時間を計時するオン時間計時手段と、
前記玉センサがオンからオフに切換わるオフエッジの検知からオフからオンに切換わるオンエッジの検知までのオフ時間を計時するオフ時間計時手段と、
前記オン時間計時手段で計時するオン時間が、予め設定し且つ想定される最小オン時間相当の比較基準値未満となるとき異常と判定するオン時間異常判定手段と、
前記オフ時間計時手段で計時するオフ時間が、予め設定し且つ想定される最小オフ時間相当の比較基準値未満となるとき異常と判定するオフ時間異常判定手段と
を含むことを特徴とする玉センサ不正監視装置。
【発明の詳細な説明】
【技術分野】
【０００１】
本発明は、パチンコ遊技機、アレンジボール遊技機、雀玉遊技機等、パチンコ玉を遊技盤に転動させて遊技をする弾球遊技機、及び、パチンコ玉の貫通に伴って検出状態となるオンと非検出状態となるオフとが切換わる貫通型の玉センサに対する不正を監視する玉センサ不正監視装置に関する。
【背景技術】
【０００２】
この種の弾球遊技機の玉センサは、特許文献１の段落００５５及び図１７等で知られているように、パチンコ玉を一つずつ貫通させる貫通穴の周囲に検出コイルを配置した貫通型の近接スイッチが専ら用いられる。
【０００３】
その原理は、検出コイルに供給する高周波発振信号により貫通穴の周りに磁界を生じさせ、その中を金属製のパチンコ玉が通過することにより生じる渦電流に起因して回路のインピーダンスが変化することを利用し、このインピーダンスの変化により、パチンコ玉の非検出状態であるオフから、パチンコ玉の通過に伴い検出状態となるオンに切換え、パチンコ玉の通過後は再び非検出状態のオフに復帰させることにより、パチンコ玉の貫通の有無を検出している。したがって、原理的に電磁波に対して脆弱で、いわゆる電波ゴトと呼ばれる不正行為の標的に曝され易い。
【０００４】
一般に、パチンコ玉を所定個数ずつ払出す賞玉等の払出側の玉センサに関しては、そのパチンコ玉の検出状態となるオンを外部からの不正電波により強制的に無いものに装うことにより不正に多くの払出しを受けるゴト行為に対する対策が有益である。この払出側の不正については、パチンコ玉を払出す球切り装置のオンオフと関連づけ、球切り装置をオンしたにも拘らず玉センサのオンがない場合に異常と判断する等のソフトウェア的対策が種々考えられている。
【０００５】
一方、遊技盤の入賞口等に入ったパチンコ玉を検出する入賞側の玉センサに関しては、パチンコ玉の非検出状態であるオフにも拘らず外部からの不正電波により恰も検出状態にあるかのように強制的にオンを装うゴト行為に対する対策が有益である。この入賞側の不正については、玉センサの誤動作を引き起こす帯域の電波を検出する電波センサを設けたり、玉センサの周りに磁気シールドを設けたりするハードウェア的対策や、特許文献２のように所定期間内の入賞数が所定の設定値以上になると異常と判断したり、特許文献３のように各入賞口への入賞数の合計値から賞玉払出処理に回った玉数を引いた未処理玉数が所定以上の場合に異常と判断する等のソフトウェア的対策が考えられている。
【先行技術文献】
【特許文献】
【０００６】
【特許文献１】特公平６−３６８３５号公報
【０００７】
【特許文献２】特開平７−２７５４４０号公報
【０００８】
【特許文献３】特開平１１−３３３０９７号公報
【発明の概要】
【発明が解決しようとする課題】
【０００９】
しかし、入賞口等に入ったパチンコ玉を検出する入賞側の玉センサについての対策として、電波センサや磁気シールド等のハードウェアによるゴト対策部品を設ける場合、それだけコストアップとなるし、また、たとえこれらゴト対策部品を設けたとしても、外部電波の影響を完全には遮断し難く、効果には限界がある。
【００１０】
また、特許文献２や３のようなソフトウェア的対策では、ある一定期間内或はある程度まとまった数の入賞玉数或は未処理玉数が過大となる等の不合理をもってエラーと判断するものであり、個々の玉センサにおける一つ一つのパチンコ玉の貫通に伴う不正を有効に監視できず、特に、一つのパチンコ玉の貫通途中に、正規にオンの期間にある玉センサに向けて極短時間だけオフの状態を強制的に挿入する電波を照射させることにより一入賞を二入賞以上の複数入賞に見せ掛ける新手の不正を検出し難く、さらに、貫通したパチンコ玉を再び遊技盤に放ち、入賞玉としては検出されないスルーゲートに対する通過玉に対しては全く効果がない。
【００１１】
本発明の課題は、電波センサや磁気シールド等のゴト対策部品を追加することなく、一入賞を複数入賞に見せ掛ける等の新手の電波ゴトに対する監視精度を高めることができる弾球遊技機及び玉センサ不正監視装置を提供する点にある。
【課題を解決するための手段】
【００１２】
図２に例示するように、本発明にかかる弾球遊技機は、遊技盤２に、パチンコ玉の貫通に伴って検出状態となるオンと非検出状態となるオフとが切換わる貫通型の玉センサ９を設けた遊技部品８２，６，Ｇを備えると共に、
図３に例示するように、前記玉センサ９の出力を入力して遊技制御を実行する制御装置ＣＮを備えるものを前提とする。
【００１３】
そして、前記制御装置ＣＮは、
前記玉センサ９がオフからオンに切換わるオンエッジの検知からオンからオフに切換わるオフエッジの検知までのオン時間を計時するオン時間計時手段Ｔと、
前記オン時間計時手段Ｔで計時するオン時間が、予め設定し且つ想定される最小オン時間相当の比較基準値未満となるとき異常と判定するオン時間異常判定手段Ｘとを含む。
【００１４】
また、前記制御装置ＣＮは、
前記玉センサ９がオンからオフに切換わるオフエッジの検知からオフからオンに切換わるオンエッジの検知までのオフ時間を計時するオフ時間計時手段Ｆと、
前記オフ時間計時手段Ｆで計時するオフ時間が、予め設定し且つ想定される最小オフ時間相当の比較基準値未満となるとき異常と判定するオフ時間異常判定手段Ｙとを含むのが好ましい。
【００１５】
図１５に例示するように、以上の場合に、前記制御装置ＣＮに備えるマイクロプロセッサーＣＰＵのタイマー割込処理において、前記玉センサ９のオンオフが切換わるエッジの検知でリセットし（ステップ１０）、前記玉センサ９のオンオフが切換わらないエッジの非検知でカウントアップするカウンタＪを設け（ステップ５）、
このカウンタＪを、前記玉センサ９の出力の計時に用いるのが好ましい。
【００１６】
さらに、前記カウンタＪのカウント値が所定の上限以上になるとカウントアップを停止させ、次のエッジの検知までカウント値を維持する仕様にしているのが好ましい（ステップ４）。
【００１７】
また、最小オン時間相当又は最小オフ時間相当の前記比較基準値は、前記遊技盤２に対する実射試験で予め計測した玉センサ９毎の出力の実測値に基づいて玉センサ９毎に個別設定するのが、監視の精度をより一層向上する観点からは好ましい。
【００１８】
一方、制御装置ＣＮの処理負担を軽減する観点からは、前記比較基準値は、前記遊技盤２に対する実射試験で予め計測した玉センサ９毎の出力の実測値に基づいてそのうちの最小値を代表値として各玉センサ９に共通設定するのが好ましい。
【００１９】
遊技盤にパチンコ玉を転動させて遊技を楽しむ弾球遊技機だけではなく、メダルの代わりにパチンコ玉を投入して入賞ラインを有効化し、後はスロットマシンの遊技を楽しむパロット等と呼ばれるゲーム機等にも適用できる。すなわち、その投入するパチンコ玉を検出する玉センサに対する不正監視にも有用であり、パチンコ玉の貫通に伴って検出状態となるオンと非検出状態となるオフとが切換わる貫通型の玉センサ９に対する不正を監視する玉センサ不正監視装置に広く適用できる。
【００２０】
この場合、玉センサ不正監視装置は、
前記玉センサ９がオフからオンに切換わるオンエッジの検知からオンからオフに切換わるオフエッジの検知までのオン時間を計時するオン時間計時手段Ｔと、
前記オン時間計時手段Ｔで計時するオン時間が、予め設定し且つ想定される最小オン時間相当の比較基準値未満となるとき異常と判定するオン時間異常判定手段Ｘとを含む。
【００２１】
また、玉センサ不正監視装置は、
前記玉センサ９がオフからオンに切換わるオンエッジの検知からオンからオフに切換わるオフエッジの検知までのオン時間を計時するオン時間計時手段Ｔと、
前記玉センサ９がオンからオフに切換わるオフエッジの検知からオフからオンに切換わるオンエッジの検知までのオフ時間を計時するオフ時間計時手段Ｆと、
前記オン時間計時手段Ｔで計時するオン時間が、予め設定し且つ想定される最小オン時間相当の比較基準値未満となるとき異常と判定するオン時間異常判定手段Ｘと、
前記オフ時間計時手段Ｆで計時するオフ時間が、予め設定し且つ想定される最小オフ時間相当の比較基準値未満となるとき異常と判定するオフ時間異常判定手段Ｙとを含む。
【発明の効果】
【００２２】
一つのパチンコ玉が玉センサ９を貫通する途中、正規にオンの期間にある玉センサ９に向けてオフの状態を強制的に挿入する電波が不正に照射された場合、一つの正規のオンの期間が細かく分断され、想定される最小オン時間相当の比較基準値よりもオン時間が短くなることがある。この場合、オン時間計時手段Ｔで計時するオン時間が、予め設定し且つ想定される最小オン時間相当の比較基準値未満となり、オン時間異常判定手段Ｘにより異常と判定される。このため、一入賞を複数入賞に見せ掛ける等の新手の電波ゴトに対する監視精度を高めることができ、高セキュリティの弾球遊技機を提供できる。
【００２３】
一つのパチンコ玉が玉センサ９を貫通する途中、正規にオンの期間にある玉センサ９に向けてオフの状態を強制的に挿入する電波が不正に照射された場合、一つの正規のオンの期間の途中に、想定される最小オフ時間相当の比較基準値よりも短いオフ時間が挿入されることがある。この場合、オフ時間計時手段Ｆで計時するオフ時間が、予め設定し且つ想定される最小オフ時間相当の比較基準値未満となり、オフ時間異常判定手段Ｙにより異常と判定される。このため、一入賞を複数入賞に見せ掛ける等の新手の電波ゴトに対する監視精度を一層高めることができ、より高セキュリティの弾球遊技機を提供できる。
【００２４】
以上の場合に、制御装置ＣＮに備えるマイクロプロセッサーＣＰＵのタイマー割込処理において、玉センサ９のオンオフが切換わるエッジの検知でリセットし、玉センサ９のオンオフが切換わらないエッジの非検知でカウントアップするカウンタＪを設け、このカウンタＪを、玉センサ９の出力の計時に用いるものとすれば、制御装置ＣＮにおけるソフトウェア上の構成だけで、しかも、そのソフトウェア上の処理負担を大幅に増大させることなく、所期の目的を達成できる。
【００２５】
また、この場合に、カウンタＪのカウント値が所定の上限以上になるとカウントアップを停止させ、次のエッジの検知までカウント値を維持する仕様にしておくと、特に、玉センサ９での非検出状態たるオフの期間が長く続いても、有限のカウンタＪがカウントアップの上限に達したことで不用意に０にリセットされてしまう弊害がなく、ソフトウェア上で良好にオフ時間の計時及びその監視が行える。
【００２６】
最小オン時間相当又は最小オフ時間相当の比較基準値は、遊技盤２に対する実射試験で予め計測した玉センサ９毎の出力の実測値に基づいて玉センサ９毎に個別設定する場合には、個々の玉センサ９を貫通するパチンコ玉の通過速度が比較的速い傾向にあるのか比較的遅い傾向にあるのか等、個々の特性に合わせた監視体制をとることができ、不正に対する監視の精度をより一層向上することができる。
【００２７】
最小オン時間相当又は最小オフ時間相当の比較基準値は、遊技盤２に対する実射試験で予め計測した玉センサ９毎の出力の実測値に基づいてそのうちの最小値を代表値として各玉センサ９に共通設定する場合には、比較基準値の数を最小限に少なくでき、制御装置ＣＮの処理負担を軽減することができる。
【００２８】
前記オン時間計時手段Ｔと前記オン時間異常判定手段Ｘとを含む玉センサ不正監視装置によれば、一球を複数球に見せ掛ける等の新手の電波ゴトに対する監視精度を高めることができ、高セキュリティの玉センサ不正監視装置を提供できる。
【００２９】
前記オン時間計時手段Ｔと前記オフ時間計時手段Ｆと前記オン時間異常判定手段Ｘと前記オフ時間異常判定手段Ｙとを含む玉センサ不正監視装置によれば、一球を複数球に見せ掛ける等の新手の電波ゴトに対する監視精度を一層高めることができ、より高セキュリティの玉センサ不正監視装置を提供できる。
【図面の簡単な説明】
【００３０】
【図１】図１は、本発明にかかる弾球遊技機の正面図である。
【図２】図２は、同弾球遊技機の遊技盤の正面図である。
【図３】図３は、同弾球遊技機の制御装置のブロック図である。
【図４】図４は、玉センサの機能説明図である。
【図５】図５は、普通電動役物入賞玉センサの実射試験によるオン時間分布図である。
【図６】図６は、普通電動役物入賞玉センサの実射試験によるオフ時間分布図である。
【図７】図７は、特別電動役物入賞玉センサの実射試験によるオン時間分布図である。
【図８】図８は、特別電動役物入賞玉センサの実射試験によるオフ時間分布図である。
【図９】図９は、ゲート通過玉センサの実射試験によるオン時間分布図である。
【図１０】図１０は、ゲート通過玉センサの実射試験によるオフ時間分布図である。
【図１１】図１１は、実射試験による玉センサ毎の最小オン時間及び最小オフ時間をまとめたテーブルである。
【図１２】図１２は、制御装置のタイマー割込周期を考慮した玉センサ毎の最小オン時間相当及び最小オフ時間相当の比較基準値の実施例１にかかるテーブルである。
【図１３】図１３は、同じく比較基準値の実施例２にかかるテーブルである。
【図１４】図１４は、同じく比較基準値の実施例３にかかるテーブルである。
【図１５】図１５は、玉センサ不正監視装置を構築するソフトウェアのフローチャートである。
【図１６】図１６は、新手の電波ゴトに対する効果を説明するタイムチャートである。
【発明を実施するための形態】
【００３１】
図１は本発明を適用するパチンコ遊技機１を示し、遊技枠１０に本体１１を開扉可能に支持している。本体１１の前面上部には、丸窓１２にガラス１３を嵌めたフロント扉１４を有し、その内方に遊技盤２を備える。フロント扉１４の下には、パチンコ玉を受け止める上皿３１、内方で溢れたパチンコ玉を受け止める下皿３２、効果音等を出音する左右スピーカ３３，３４、遊技盤２に１分間について１００個に近い数のパチンコ玉を連続的に打ち出し、回転操作角度によりパチンコ玉の打出し強さを調整できる発射ハンドル３５を備える。３６は、発射ハンドル３５の回転操作中にパチンコ玉の打ち出しを一次休止するための発射停止ボタンである。フロント扉１４の前面上部から右サイドにかけて、装飾やエラー報知等に用いるフロントランプ５１〜５５を備える。
【００３２】
図２に示すように、遊技盤２には、次の１）〜１０）の遊技部品を備える。
１）第１玉振分機構７Ａ
該第１玉振分機構７Ａは、遊技盤２のほぼ中心線上の上部に配置し、クラゲの装飾をあしらった丸みを帯びた玉ハウジング７０１の左右に、遊技盤２からパチンコ玉を受け入れる左玉入口７０Ｌ及び右玉入口７０Ｒを備える。内部には玉振分ステージ７０２を備え、内部に受け入れたパチンコ玉を、次記第２玉振分機構７Ｂに受け継がせることができる中玉出口７０３Ｃか、或は、このような受け継ぎは絶望的となる左玉出口７０３Ｌ及び右玉出口７０３Ｒの何れかから放出させる。
【００３３】
２）第２玉振分機構７Ｂ
該第２玉振分機構７Ｂは、海底をイメージした装飾をあしらった玉ハウジング７０５の上部に、第１玉振分機構７Ａの中玉出口７０３Ｃから放出されたパチンコ玉を、風車Ｋを主体とする玉流下制御機構７Ｃによる再振分を経て入玉させる上玉入口７０Ｃを備える。内部にはいわゆるクルーンから成る第２玉振分ステージ７０６を備え、上玉入口７０Ｃから受け入れたパチンコ玉を、後記第１始動口８１へ１００％に近い高率でほぼ入賞させることができる中央下方の特定玉出口７０Ｖか、或は、第１始動口８１への入賞は絶望的となる右下方の外れ玉出口７０Ｆの何れかから放出させる。
【００３４】
３）玉流下制御機構７Ｃ
該玉流下制御機構７Ｃは、風車Ｋとこれを取り囲む独特のゲージ配置をもつ多数の遊技釘３０とを組合わせて構成しており、第１玉振分機構７Ａの中玉出口７０３Ｃから放出されたパチンコ玉を、真下か、或は、左右何れかに振分け、第２玉振分機構７Ｂの上玉入口７０Ｃへのパチンコ玉の受け継ぎを所定の確率で達成できるように制限している。
【００３５】
４）第１始動口８１
該第１始動口８１は、第２玉振分機構７Ｂの特定玉出口７０Ｖの直下に配置し、該特定玉出口７０Ｖから放出されたパチンコ玉のみを入賞させる。この第１始動口８１への入賞玉は、上から下にパチンコ玉を貫通させる貫通型の玉センサ９から成る入賞玉センサ９Ｃにより検出される。検出した入賞玉一個につき、所定数例えば１０個のパチンコ玉を賞玉として払出すと共に、後記制御装置ＣＮの主制御部ＭＣで定義し且つ所定範囲内例えば０〜６５５３５の範囲内で高速更新する特別図柄抽選用乱数庫（乱数カウンタ）から一つの特別図柄抽選用乱数を取得し、主制御部ＭＣのＲＡＭに格納する。
【００３６】
この第1始動口８１及び後記第２始動口８２への入賞に基づく特別図柄抽選での当選確率すなわち大当たり確率は、通常時でも１に近い高い値例えば６５５３２／６５５３６に設定しており、殆どの場合に大当たりとなる。また、大当たり遊技後は、大当たり確率を通常時の６５５３２／６５５３６よりもさらに少し高い例えば６５５３３／６５５３６に高めると共に、後述の普通図柄抽選での当選確率を通常時の低い値例えば６／６５５２２から遥かに高い値例えば６５５２０／６５５２２に高め、且つ、第２始動口８２の一回の開動作についての最大開放時間を通常時の比較的短時間例えば０．２秒から比較的長時間例えば５．５秒に延長する開放延長による時短機能付き確率変動遊技に突入させる。この時短機能付き確率変動遊技は、所定の連続当選許容回数例えば３０回を上限として繰り返される。
【００３７】
５）スルーゲートＧ
該スルーゲートＧは、遊技盤２の表面上を転動するパチンコ玉を上から下に一個ずつ通り抜けさせ、通り抜け後はパチンコ玉を再び遊技盤２の表面上に放つものであって、遊技盤２の略中心線を挟んで遊技者側から見て右領域の上方に配置している。このスルーゲートＧへのパチンコ玉の通過は、上から下にパチンコ玉を貫通させる貫通型の玉センサ９から成るゲート通過玉センサ９Ｇにより検出される。検出した通過玉一個につき、主制御部ＭＣで定義し且つ所定範囲内例えば０〜６５５２１の範囲内で高速更新する普通図柄抽選用乱数庫（乱数カウンタ）から一つの普通図柄抽選用乱数を取得し、主制御部ＭＣのＲＡＭに格納する。
【００３８】
６）大入賞口６
該大入賞口６は、特別図柄抽選に当選して大当たり遊技が行われる時に複数回について開動作されるものであって、遊技盤２の右領域におけるスルーゲートＧの下方に配置している。その開動作時には、常時は直立姿勢の閉状態にある横に幅広の可動板６０を下端を軸に前に倒して斜め上に口を開いた状態とし、遊技盤２の主に右領域に流下するパチンコ玉の入賞を容易に許す。この大入賞口６への入賞玉は、上から下にパチンコ玉を貫通させる貫通型の玉センサ９から成る特別電動役物入賞玉センサ９Ｓにより検出される。検出した入賞玉一個につき、所定数例えば６個のパチンコ玉を賞玉として払出す。
【００３９】
この大入賞口６の一回の開動作（１ラウンド）毎に、特別電動役物入賞玉センサ９Ｓにより最初に検出された入賞玉により大入賞口６は一旦閉じられ、例えば１秒前後の所定インターバルを経て、再び大入賞口６は開動作され、所定上限ラウンド数例えば２ラウンドについて繰り返す。大入賞口６が一回開動作される１ラウンドの最大開放時間は、所定の長時間例えば３０秒に定めているが、１ラウンド中に入賞が許容されるカウント数は１個であるため、多くの場合、最大開放時間の経過を待つことなく、おおむね１個の入賞により１ラウンドが終了する。
【００４０】
したがって、一回の大当たり遊技で獲得できる賞玉は、１カウント×６賞玉×２ラウンド＝１２個と少なめとなる。ただし、大当たり遊技後は時短機能付き確率変動遊技に突入し、第２始動口８２への入賞による特別図柄抽選で当選を得ることにより、大当たりを連続させることができる。なお、特別電動役物入賞玉センサ９Ｓでの最初の入賞玉の検出により大入賞口６は閉じるが、大きく口を開いた大入賞口６には、ほぼ同時に２以上のパチンコ玉が入る可能性も少なくなく、１ラウンドについての入賞玉数が２以上となることもある。
【００４１】
７）第２始動口８２
該第２始動口８２は、普通図柄抽選で当選した場合に一回開動作されるものであって、部品としての構造は大入賞口６と同様である。遊技盤２の右領域における大入賞口６の下方に配置しており、その開動作時には、常時は直立姿勢の閉状態にある横に幅広の可動板８０を下端を軸に前に倒して斜め上に口を開いた状態とし、遊技盤２の主に右領域に流下するパチンコ玉の入賞を容易に許す。この第２始動口８２への入賞玉は、上から下にパチンコ玉を貫通させる貫通型の玉センサ９から成る普通電動役物入賞玉センサ９Ｎにより検出される。検出した入賞玉一個につき、第１始動口８１への入賞時と同じく、所定数例えば６個のパチンコ玉を賞玉として払出すと共に、特別図柄抽選用乱数庫（乱数カウンタ）から一つの特別図柄抽選用乱数を取得して主制御部ＭＣのＲＡＭに格納する。
【００４２】
この第２始動口８２の開動作は、最大開放時間の経過か、又は、最大入賞数例えば１０個の入賞玉を検出したことにより終了する。第２始動口８２への入賞玉による特別図柄抽選でも、第１始動口８１への入賞玉による特別図柄抽選と同様に、ほぼ毎回大当たりとなり、大当たり遊技時、第２始動口８２の上方に配置した大入賞口６が開かれ、その下方にある第２始動口８２の上部にはひさしが被さる形となり、第２始動口８２自体へはパチンコ玉がやや入り難い状況となる。したがって、時短機能付き確率変動遊技時に最大開放時間が５．５秒あるとしても、多くの場合、最大入賞数を下回る適度な数の入賞数に止まるものとなる。
【００４３】
８）左飾り入賞ユニット２５
該左飾り入賞ユニット２５は、遊技盤２の左領域下方に配置し、入賞玉一個につき、所定数例えば１０個のパチンコ玉を賞玉として払出す一般入賞口４１，４２を備える。これら入賞口４１，４２への入賞玉は、それぞれ、上から下にパチンコ玉を貫通させる貫通型の玉センサ９から成る入賞玉センサ９Ｕ，９Ｌにより検出される。
【００４４】
９）右飾り入賞兼表示ユニット２６
該右飾り入賞兼表示ユニット２６は、遊技盤２の右領域下方に配置し、入賞玉一個につき、所定数例えば１０個のパチンコ玉を賞玉として払出す一般入賞口４３を備える。この入賞口４３への入賞玉は、上から下にパチンコ玉を貫通させる貫通型の玉センサ９から成る入賞玉センサ９Ｌにより検出される。
【００４５】
また、この右飾り入賞兼表示ユニット２６には、第１始動口８１又は第２始動口８２への入賞玉に基づく特別図柄抽選での大当たりの当否を導出させる７セグメントＬＥＤから成る特別図柄表示装置ＳＤを備える。第１始動口８１又は第２始動口８２への入賞時、所定の変動時間例えば０．５秒間〜１秒間についてのランダムな表示変動を経て、大当たり時は例えば「７」で、はずれ時は例えば「−」（バー）で各停止させ、大当たりの当否を導出する。大当たりの導出後は、大当たり遊技がされる。ｅ１，ｅ２，ｅ３，ｅ４は、特別図柄表示装置ＳＤでの表示変動待ちのために所定保留上限数例えば４個を上限に有効に取得し且つ格納した特別図柄抽選用乱数の保留記憶数を点灯により表示させる特別図柄用保留表示器である。
【００４６】
さらに、右飾り入賞兼表示ユニット２６には、スルーゲートＧへの玉通過に基づく普通図柄抽選での当否を導出させる緑ランプＧＬと赤ランプＲＬとから成る普通図柄表示装置ＮＤを備える。スルーゲートＧへのパチンコ玉の通過時、所定の変動時間例えば０．４秒間についての緑ランプＧＬと赤ランプＲＬとの交互点灯による表示変動を経て、当選時は例えば緑ランプＧＬの点灯で、はずれ時は例えば赤ランプＲＬの点灯で各停止させ、普通図柄抽選での当否を導出する。普通図柄抽選での当選導出後は、第２始動口８２が所定の最大開放時間について開動作される。ｎ１，ｎ２，ｎ３，ｎ４は、特別図柄表示装置ＮＤでの表示変動待ちのために所定保留上限数例えば４個を上限に有効に取得し且つ格納した普通図柄抽選用乱数の保留記憶数を点灯により表示させる普通図柄用保留表示器である。
【００４７】
１０）その他
略円形の遊技領域２００を区画し且つ発射ハンドル３５により打ち出すパチンコ玉を導くレール２０，２１、玉戻り防止片２２、玉止め２３、パチンコ玉の貫通を許容する玉センサ無しの飾りゲート２４、上部左右の風車２７，２８、入賞を逃したパチンコ玉を排出する下部のアウト口２９を備える。
【００４８】
図３に、遊技盤２での遊技を制御する制御装置ＣＮを示す。ＣＰＵ、ＲＯＭ、ＲＡＭから成るマイクロプロセッサーを具備する主制御部ＭＣ、第１周辺制御部ＳＣ１及び第２周辺制御部ＳＣ２を備える。主制御部ＭＣには、Ｉ／ＯポートＩＮ０を介して、第１始動口８１の入賞玉センサ９Ｃ、第２始動口８２の普通電動役物入賞玉センサ９Ｓ、大入賞口６の特別電動役物入賞玉センサ９Ｓ、スルーゲートＧのゲート通過玉センサ９Ｇ、各一般入賞口４１，４２，４３の入賞玉センサ９Ｕ，９Ｌ，９Ｒを入力している。主制御部ＭＣから各周辺制御部ＳＣ１，ＳＣ２へは、中継基板ＣＢを介して一方通行的にコマンドを送信している。周辺制御部ＳＣ１，ＳＣ２相互間は、双方向的にデータを送受信している。
【００４９】
なお、各玉センサ９（９Ｃ，９Ｎ，９Ｓ，９Ｇ，９Ｕ，９Ｌ，９Ｒ）は、矩形のボディ９１の厚み方向にパチンコ玉を貫通させる貫通穴９０を備え、ボディ９１に印等されたＩＮ面を上にして配置され、上から下に垂直にパチンコ玉を貫通させるようにしている。これら玉センサ９には、例えば、ＯＭＲＯＮ社製の貫通型近接スイッチＴＬ−ＰＰ１５３等が用いられる。
【００５０】
主制御部ＭＣのＲＯＭには、特別図柄抽選及び普通図柄抽選を含む遊技の主制御を担う遊技プログラムを格納しており、このＲＯＭの遊技プログラム上に次のア）〜エ）の各手段を構築し、ワーク領域として用いるＲＡＭと協同してソフトウェア上において玉センサ不正監視装置を構成している。玉センサ９のうち、少なくとも、不正に対して影響の大きい、第２始動口８２の普通電動役物入賞玉センサ９Ｎと、大入賞口６の特別電動役物入賞玉センサ９Ｓと、スルーゲートＧのゲート通過玉センサ９Ｇとを監視の対象とし、少なくとも、これら３つの玉センサ９Ｎ，９Ｓ，９Ｇに対する不正監視装置を構成している。なお、全ての玉センサ９を監視の対象とし、全ての玉センサ９に対する不正監視装置を構成しても勿論よい。
【００５１】
ア）オン時間計時手段Ｔ
該オン時間計時手段Ｔは、監視対象の玉センサ９（９Ｎ，９Ｓ，９Ｇ・・・）それぞれについて、パチンコ玉の非検出状態であるオフから検出状態となるオンに切換わるオンエッジの検知から、検出状態のオンから非検出状態のオフに切換わるオフエッジの検知までのオン時間を計時する。
【００５２】
イ）オフ時間計時手段Ｆ
該オフ時間計時手段Ｆは、監視対象の玉センサ９（９Ｎ，９Ｓ，９Ｇ・・・）それぞれについて、パチンコ玉の検出状態であるオンから非検出状態となるオフに切換わるオフエッジの検知から、非検出状態のオフから検出状態のオンに切換わるオンエッジの検知までのオフ時間を計時する。
【００５３】
ウ）オン時間異常判定手段Ｘ
該オン時間異常判定手段Ｘは、監視対象の玉センサ９（９Ｎ，９Ｓ，９Ｇ・・・）それぞれについて、オン時間計時手段Ｔで計時するオン時間が、予め設定し且つ想定される最小オン時間相当の比較基準値未満となるとき異常と判定する。
【００５４】
エ）オフ時間異常判定手段Ｙ
該オフ時間異常判定手段Ｙは、監視対象の玉センサ９（９Ｎ，９Ｓ，９Ｇ・・・）それぞれについて、オフ時間計時手段Ｆで計時するオフ時間が、予め設定し且つ想定される最小オフ時間相当の比較基準値未満となるとき異常と判定する。
【００５５】
なお、主制御部ＭＣからは、ドライバ回路ＤＲ０を介して、特別図柄表示装置ＳＤ、普通図柄表示装置ＮＤ、特別図柄用保留表示器ｅ１〜ｅ４、普通図柄用保留表示器ｎ１〜ｎ４、大入賞口６の可動板６０を開閉させるソレノイド等による開閉用駆動部６Ｄ、第２始動口８２の可動板８０を開閉させる同じくソレノイド等による開閉用駆動部８Ｄを主に制御している。
【００５６】
また、第１周辺制御部ＳＣ１からは、ドライバ回路ＤＲ１を介して、スピーカ３３，３４から出音する効果音を主に制御している。第２周辺制御部ＳＣ２からは、ドライバ回路ＤＲ２を介して、フロントランプ５１〜５５や遊技盤２に内蔵等した各種ランプ類の点灯表示態様を主に制御している。なお、図３では、パチンコ玉の発射関連、賞玉の払出関連及び電源関連の各回路は省略していると共に、遊技者利益に直接関係しない第１玉振分機構７Ａや第２玉振分機構７Ｂ等に設ける演出用玉センサは省略して描いている。
【００５７】
図４に示すように、玉センサ９すなわち入賞玉センサ９Ｎ，９Ｓ，９Ｃ，９Ｕ，９Ｌ，９Ｒ及びゲート通過玉センサ９Ｇは全て同一構成であり、貫通穴９０を取り囲むように環状の検出コイル９０１を内蔵しており、基板９２に実装するコルピッツ形やハートレー形等の発振回路９０２から検出コイル９０１に供給する高周波発振信号により、貫通穴９０の周りに磁界を生じさせている。その中を金属製のパチンコ玉Ｐ１，Ｐ２が通過すると、電磁誘導作用に基づく渦電流により発振が一時的に停止される等、回路定数すなわち回路のインピーダンスが変化する。これを検波回路９０３にて検出してトランジスタ等のスイッチング回路９０４をオンオフさせ、出力回路９０５の端子９３から検出出力信号を取り出す。なお、図４では、電源供給ラインを省略して描いている。
【００５８】
検出出力信号は、パチンコ玉の貫通に伴い、パチンコ玉の非検出状態であるオフから、パチンコ玉の検出状態となるオンに切換えられ、パチンコ玉の貫通後は、再び非検出状態のオフに復帰される。なお、検出出力信号は、パチンコ玉の非検出状態であるオフがプラス５ボルト等のハイレベル信号で、パチンコ玉の検出状態であるオンが０ボルト等のローレベル信号であってもよいし、パチンコ玉の非検出状態であるオフが０ボルト等のローレベル信号で、パチンコ玉の検出状態であるオンがプラス５ボルト等のハイレベル信号であっても勿論よい。
【００５９】
ある一つのパチンコ玉Ｐ１が貫通穴９０の内部を移動していくとき、パチンコ玉Ｐ１が実線で示す検出状態となるオンの点をａ、さらに移動してパチンコ玉Ｐ１が二点鎖線の想像線で示す非検出状態となるオフの点をｂとしたとき、ａ点とｂ点との間の距離Ｌがパチンコ玉Ｐ１の検出範囲となるが、一般に、この検出範囲Ｌは、パチンコ玉の直径１１ｍｍに対して、４〜８ｍｍ程度と小さく、２個以上のパチンコ玉が数珠繋ぎ状に互いに密着して移動してきても、先行するパチンコ玉Ｐ１が非検出状態となるオフ点ｂに移動しても、後続のパチンコ玉Ｐ２は未だ検出状態となるオン点ａには達しない。
【００６０】
したがって、２個以上のパチンコ玉Ｐ１，Ｐ２が数珠繋ぎ状に互いに密着して玉センサ９を貫通しても、先行するパチンコ玉Ｐ１の検出状態となるオンと、後続するパチンコ玉Ｐ２の検出状態となるオンとの間には、必ず非検出状態となるオフが挿入されることになり、玉センサ９は、本来必ずパチンコ玉を一つずつ検出できるものである。
【００６１】
図５は、遊技盤２に対する１０時間の実射試験（遊技盤２に実際にパチンコ玉を１０時間について打ち出した試験、以下同様）の結果、第２始動口８２に入賞したパチンコ玉を該第２始動口８２の内部に備える玉センサ９である普通電動役物入賞玉センサ９Ｎにより実際に検出したオン時間（ＯＮ時間）の度数分布図であり、１ミリ秒（１ｍｓｅｃ）刻みのＯＮ時間の区分毎に度数（パチンコ玉の数）を集計したものである。ここに、オン時間（ＯＮ時間）とは、普通電動役物入賞玉センサ９Ｎがパチンコ玉の非検出状態であるオフから検出状態となるオンに切換わるオンエッジの検知から、検出状態のオンから非検出状態のオフに切換わるオフエッジの検知までの時間である。
【００６２】
第２始動口８２に入賞したパチンコ玉の数すなわち普通電動役物入賞玉センサ９Ｎを貫通したパチンコ玉の数は全部で１５９５個となり、最も度数が多かったのは、３５〜３６ｍｓｅｃの区分であり、２９６個のパチンコ玉について、その一つ一つのオン時間は３５〜３６ｍｓｅｃであった。また、３１〜３９ｍｓｅｃの範囲に属する度数の累計は、全体の約８３％にあたる１３２９個に達し、８割を超えるパチンコ玉について、その一つ一つのオン時間は、比較的長い傾向となった。
【００６３】
これは、第２始動口８２が、その開動作時に横に幅広の可動板８０を下端を軸に前に倒して斜め上に口を開いた状態でパチンコ玉を受け入れ、横に幅広の可動板８０により、普通電動役物入賞玉センサ９Ｎを通過する直前のパチンコ玉の初速度が弱められる点、第２始動口８２はその一回の開動作中に複数の入賞を許容し、２以上のパチンコ玉が互いに干渉等して、普通電動役物入賞玉センサ９Ｎの入口の縁をなめるように比較的ゆっくりと流入する点、図２に示すように第２始動口８２の周辺に独特の遊技釘３０のゲージ配置をもつ点等が主要因と考えられる。
【００６４】
もっとも、ほぼダイレクトに普通電動役物入賞玉センサ９Ｎ又はその近傍に飛び込むパチンコ玉もあることから、２５ｍｓｅｃ以下の比較的短いオン時間となる場合も多少なりともあり、１６〜１７ｍｓｅｃの最も短いオン時間の区分に属する度数も１つだけあり、そのオン時間の最小値ＯＮｍｉｎは、１６．２ｍｓｅｃであった。
【００６５】
図６は、遊技盤２に対する１０時間の実射試験の結果、第２始動口８２に対して比較的短期の所定期間内例えば１秒以内に連続入賞があった場合を抽出し、その１秒以内の連続入賞についての普通電動役物入賞玉センサ９Ｎにより実際に検出したオフ時間（ＯＦＦ時間）の度数分布図であり、１００ミリ秒（１００ｍｓｅｃ）刻みのＯＦＦ時間の区分毎に度数（先行するパチンコ玉に後続するパチンコ玉の数）を集計したものである。
【００６６】
比較的短期の所定期間内を抽出してＯＦＦ時間の分布を示しているのは、第２始動口８２が開かなければずっとＯＦＦ時間が継続し、ゴト対策として考えるべきは、短期のＯＦＦ時間だからである。ここに、オフ時間（ＯＦＦ時間）とは、普通電動役物入賞玉センサ９Ｎがパチンコ玉の検出状態であるオンから非検出状態となるオフに切換わるオフエッジの検知から、非検出状態のオフから検出状態のオンに切換わるオンエッジの検知までの時間である。
【００６７】
第２始動口８２は、時短機能付き確率変動遊技時、最大開放時間を５．５秒とした比較的長期間の開動作条件下でパチンコ玉を受け入れ、本来、連続的な入賞が期待できるものである。ただし、横に幅広の可動板８０により普通電動役物入賞玉センサ９Ｎを通過する直前のパチンコ玉一つ一つの初速度が弱められる点、２以上のパチンコ玉が干渉等により間隔を空けて普通電動役物入賞玉センサ９Ｎに流入する点、図２に示すように第２始動口８２の周辺に独特の遊技釘３０のゲージ配置をもつ点、上部の大入賞口６の開動作により連続入賞の間隔が適度に広げられる点等が主要因となって、オフ時間の多くは１００ｍｓｅｃ以上の比較的長いものとなった。
【００６８】
もっとも、数珠繋ぎ状またはこれに近い状況で２以上のパチンコ玉が連続して普通電動役物入賞玉センサ９Ｎを通過することもあることから、１００ｍｓｅｃ以下の比較的短いオフ時間となる場合も多少なりともあり、０〜１００ｍｓｅｃの最も短いオフ時間の区分に属する度数も４つだけあり、そのオフ時間の最小値ＯＦＦｍｉｎは、３８．５ｍｓｅｃであった。
【００６９】
図７は、遊技盤２に対する１０時間の実射試験の結果、大入賞口６に入賞したパチンコ玉を該大入賞口６の内部に備える玉センサ９である特別電動役物入賞玉センサ９Ｓにより実際に検出したオン時間（ＯＮ時間）の度数分布図であり、１ミリ秒（１ｍｓｅｃ）刻みのＯＮ時間の区分毎に度数（パチンコ玉の数）を集計したものである。ここに、オン時間（ＯＮ時間）とは、特別電動役物入賞玉センサ９Ｓがパチンコ玉の非検出状態であるオフから検出状態となるオンに切換わるオンエッジの検知から、検出状態のオンから非検出状態のオフに切換わるオフエッジの検知までの時間である。
【００７０】
大入賞口６に入賞したパチンコ玉の数すなわち特別電動役物入賞玉センサ９Ｓを貫通したパチンコ玉の数は全部で２５４６個となり、最も度数が多かったのは、２８〜２９ｍｓｅｃの区分であり、６５９個のパチンコ玉について、その一つ一つのオン時間は２８〜２９ｍｓｅｃであった。また、２６〜３１ｍｓｅｃの範囲に属する度数の累計は、全体の約８５％にあたる２１５２個に達し、８割を超えるパチンコ玉について、その一つ一つのオン時間は、第２始動口８２の普通電動役物入賞玉センサ９Ｎのそれよりも短いが、比較的やや長い傾向となった。
【００７１】
これは、大入賞口６が、その開動作時に横に幅広の可動板６０を下端を軸に前に倒して斜め上に口を開いた状態でパチンコ玉を受け入れ、横に幅広の可動板６０により、特別電動役物入賞玉センサ９Ｓを通過する直前のパチンコ玉の初速度が弱められる点、この一方で、大入賞口６はその一回の開動作中（１ラウンド）に２以上のパチンコ玉がたまたまほぼ同時に入賞することはあっても基本的に一個のパチンコ玉（１カウント）のみの入賞を許容し、２以上のパチンコ玉の干渉による減速等は第２始動口８２の場合よりも少ない点、図２に示すように大入賞口６の周辺に独特の遊技釘３０のゲージ配置をもつ点等が主要因と考えられる。
【００７２】
もっとも、ほぼダイレクトに特別電動役物入賞玉センサ９Ｓ又はその近傍に飛び込むパチンコ玉もあることから、２５ｍｓｅｃ以下の比較的短いオン時間となる場合も多少なりともあり、１７〜１８ｍｓｅｃの最も短いオン時間の区分に属する度数も３つだけあり、そのオン時間の最小値ＯＮｍｉｎは、１７．３ｍｓｅｃであった。普通電動役物入賞玉センサ９ＮのＯＮｍｉｎが１６．２ｍｓｅｃであったのに対し、若干長くなったのは、大入賞口６の周辺の遊技釘３０のゲージ配置等が、第２始動口８２のそれと異なる点等が要因と考えられる。
【００７３】
図８は、遊技盤２に対する１０時間の実射試験の結果、大入賞口６に対して比較的短期の所定期間内例えば１秒以内に連続入賞があった場合を抽出し、その１秒以内の連続入賞についての特別電動役物入賞玉センサ９Ｓにより実際に検出したオフ時間（ＯＦＦ時間）の度数分布図であり、１００ミリ秒（１００ｍｓｅｃ）刻みのＯＦＦ時間の区分毎に度数（先行するパチンコ玉に後続するパチンコ玉の数）を集計したものである。
【００７４】
比較的短期の所定期間内を抽出してＯＦＦ時間の分布を示しているのは、第２始動口８２の場合と同様、大入賞口６が開かなければずっとＯＦＦ時間が継続し、ゴト対策として考えるべきは、短期のＯＦＦ時間だからである。ここに、オフ時間（ＯＦＦ時間）とは、特別電動役物入賞玉センサ９Ｓがパチンコ玉の検出状態であるオンから非検出状態となるオフに切換わるオフエッジの検知から、非検出状態のオフから検出状態のオンに切換わるオンエッジの検知までの時間である。
【００７５】
大入賞口６は、その一回の開動作中（１ラウンド）に２以上のパチンコ玉がたまたまほぼ同時に入賞することはあっても基本的に一個のパチンコ玉（１カウント）のみの入賞を許容するものである。したがって、ラウンド間のインターバル時間に相当する１秒よりも短い期間を抽出した分布では、７００〜１０００ｍｓｅｃの度数は０であり、１ラウンド中の最初の入賞玉により可動板６０が垂直に復帰して大入賞口６が閉じられる際に大入賞口６の内部にある後続の入賞玉は、遅くとも７００ｍｓｅｃ以内に検出される結果となった。
【００７６】
大入賞口６については、１００〜２００ｍｓｅｃの区分に属する度数が最も多い。第２始動口８２の場合よりもやや短いオフ時間となったのは、最初の入賞玉により可動板６０が直立姿勢に復帰して大入賞口６が閉じられる際に大入賞口６の内部にある後続の入賞玉が特別電動役物入賞玉センサ９Ｓに導かれる傾向にあること等が影響していると考えられる。０〜１００ｍｓｅｃの最も短いオフ時間の区分に属する度数も１７あり、そのオフ時間の最小値ＯＦＦｍｉｎは、２９．８ｍｓｅｃであった。
【００７７】
図９は、遊技盤２に対する１０時間の実射試験の結果、スルーゲートＧを通過したパチンコ玉を該スルーゲートＧに備える玉センサ９であるゲート通過玉センサ９Ｇにより実際に検出したオン時間（ＯＮ時間）の度数分布図であり、１ミリ秒（１ｍｓｅｃ）刻みのＯＮ時間の区分毎に度数（パチンコ玉の数）を集計したものである。ここに、オン時間（ＯＮ時間）とは、ゲート通過玉センサ９Ｇがパチンコ玉の非検出状態であるオフから検出状態となるオンに切換わるオンエッジの検知から、検出状態のオンから非検出状態のオフに切換わるオフエッジの検知までの時間である。
【００７８】
スルーゲートＧを通過したパチンコ玉の数すなわちゲート通過玉センサ９Ｇを貫通したパチンコ玉の数は全部で５００５個となり、最も度数が多かったのは、２０〜２１ｍｓｅｃの区分であり、８６６個のパチンコ玉について、その一つ一つのオン時間は２０〜２１ｍｓｅｃであった。また、１８〜２４ｍｓｅｃの範囲に属する度数の累計は、全体の約８５％にあたる４２６４個に達し、８割を超えるパチンコ玉について、その一つ一つのオン時間は、比較的短い傾向となった。
【００７９】
これは、スルーゲートＧが、遊技盤２の表面上を転動するパチンコ玉を上から下に一個ずつ通り抜けさせ、通り抜け後はパチンコ玉を再び遊技盤２の表面上に放つものであり、スルーゲートＧの上部に配置した遊技釘３０により該スルーゲートＧに流入するパチンコ玉の初速度が適度に弱められるとしても、ゲート通過玉センサ９Ｇの上から下に向けて比較的スムーズにパチンコ玉が貫通すると考えられるからである。
【００８０】
９〜１０ｍｓｅｃの最も短いオン時間の区分に属する度数も２つだけあり、そのオン時間の最小値ＯＮｍｉｎは、９．３ｍｓｅｃであった。
【００８１】
図１０は、遊技盤２に対する１０時間の実射試験の結果、スルーゲートＧに対して比較的短期の所定期間内例えば１秒以内に連続玉通過があった場合を抽出し、その１秒以内の連続玉通過についてのゲート通過玉センサ９Ｇにより実際に検出したオフ時間（ＯＦＦ時間）の度数分布図であり、１００ミリ秒（１００ｍｓｅｃ）刻みのＯＦＦ時間の区分毎に度数（先行するパチンコ玉に後続するパチンコ玉の数）を集計したものである。
【００８２】
比較的短期の所定期間内を抽出してＯＦＦ時間の分布を示しているのは、スルーゲートＧをパチンコ玉が通過しなければずっとＯＦＦ時間が継続し、ゴト対策として考えるべきは、短期のＯＦＦ時間だからである。ここに、オフ時間（ＯＦＦ時間）とは、ゲート通過玉センサ９Ｇがパチンコ玉の検出状態であるオンから非検出状態となるオフに切換わるオフエッジの検知から、非検出状態のオフから検出状態のオンに切換わるオンエッジの検知までの時間である。
【００８３】
スルーゲートＧは、常時パチンコ玉を受け入れてその通過を許容するものであり、連続的な玉通過は本来起こり易い。しかし、スルーゲートＧの上部に配置した遊技釘３０により該スルーゲートＧに順に流入してくるパチンコ玉の間隔が適度に広げられる場合も多いと考えられ、このことから、連続的な通過玉を想定して１秒以内を抽出したオフ時間の分布では、６００〜７００ｍｓｅｃをピークとし、そのオフ時間の多くは３００ｍｓｅｃ以上の比較的長いものとなった。
【００８４】
もっとも、数珠繋ぎ状またはこれに近い状況で２以上のパチンコ玉が連続してスルーゲートＧに流入し、ゲート通過玉センサ９Ｇを連続的に貫通することもあることから、１００ｍｓｅｃ以下の比較的短いオフ時間となる場合も少なくなく、０〜１００ｍｓｅｃの最も短いオフ時間の区分に属する度数も９６あり、そのオフ時間の最小値ＯＦＦｍｉｎは、２２．３ｍｓｅｃであった。
【００８５】
図１１は、以上の実射試験による玉センサ９Ｎ，９Ｓ，９Ｇ毎の最小オン時間ＯＮｍｉｎ及び最小オフ時間ＯＦＦｍｉｎの各実測値をまとめたテーブルである。なお、他の玉センサ９、すなわち、第１始動口８１の入賞玉センサ９Ｃ及び各一般入賞口４１，４２，４３の入賞玉センサ９Ｕ，９Ｌ，９Ｒについては実測していないが、これら各玉センサ９Ｃ，９Ｕ，９Ｌ，９Ｒは、遊技盤２の表面に対して奥行方向内部に配置され、遊技盤２の奥に方向転換された初速度の小さいパチンコ玉を上から下に通過させるものであるため、最も短いものでも、スルーゲートＧに対する最小オン時間ＯＮｍｉｎ＝９．３ｍｓｅｃ及び最小オフ時間ＯＦＦｍｉｎ＝２２．３ｍｓｅｃを下回ることはないと考えられる。
【実施例１】
【００８６】
図１２は、制御装置ＣＮの主制御部ＭＣにおけるＣＰＵの所定のタイマー割込周期を考慮し、且つ、図１１の実射試験による実測値に基づいて定めた、玉センサ９Ｎ，９Ｓ，９Ｇ毎の最小オン時間相当及び最小オフ時間相当の比較基準値をまとめた実施例１にかかるテーブルである。その所定のタイマー割込周期は、例えば８００マイクロ秒（μｓｅｃ）＝０．８ｍｓｅｃである。
【００８７】
普通電動役物入賞玉センサ９Ｎについての最小ＯＮ時間相当の比較基準値は２０割込に定めており、０．８×２０＝１６ｍｓｅｃは、最小ＯＮ時間の実測値の１６．２ｍｓｅｃに最も近い下回り値であり、電波ゴトを疑い得る最適な評価値である。同最小ＯＦＦ時間相当の比較基準値は４８割込に定めており、０．８×４８＝３８．４ｍｓｅｃは、最小ＯＦＦ時間の実測値の３８．５ｍｓｅｃに最も近い下回り値であり、電波ゴトを疑い得る最適な評価値である。
【００８８】
特別電動役物入賞玉センサ９Ｓについての最小ＯＮ時間相当の比較基準値は２１割込に定めており、０．８×２１＝１６．８ｍｓｅｃは、最小ＯＮ時間の実測値の１７．３ｍｓｅｃに最も近い下回り値であり、電波ゴトを疑い得る最適な評価値である。同最小ＯＦＦ時間相当の比較基準値は３７割込に定めており、０．８×３７＝２９．６ｍｓｅｃは、最小ＯＦＦ時間の実測値の２９．８ｍｓｅｃに最も近い下回り値であり、電波ゴトを疑い得る最適な評価値である。
【００８９】
ゲート通過玉センサ９Ｇについての最小ＯＮ時間相当の比較基準値は１１割込に定めており、０．８×１１＝８．８ｍｓｅｃは、最小ＯＮ時間の実測値の９．３ｍｓｅｃに最も近い下回り値であり、電波ゴトを疑い得る最適な評価値である。同最小ＯＦＦ時間相当の比較基準値は２７割込に定めており、０．８×２７＝２１．６ｍｓｅｃは、最小ＯＦＦ時間の実測値の２２．３ｍｓｅｃに最も近い下回り値であり、電波ゴトを疑い得る最適な評価値である。
【００９０】
以上のようにタイマー割込の数で比較基準値を設定しているのは、主制御部ＭＣのタイマー割込周期毎に監視対象の玉センサ９Ｎ，９Ｓ，９Ｇを含む全玉センサ９の各検出出力を読み取り、タイマー割込周期毎に、各玉センサ９それぞれについて、パチンコ玉の検出状態にあるオンか、パチンコ玉の非検出状態であるオフかを検出しているからである。
【００９１】
また、監視対象の玉センサ９それぞれについては、主制御部ＭＣのＣＰＵのタイマー割込処理において、玉センサ９のオンオフが切換わるエッジの検知でリセットし、玉センサ９のオンオフが切換わらないエッジの非検知でカウントアップするカウンタＪを、主制御部ＭＣのＲＡＭのワーク領域に定義し、このカウンタＪを、監視対象の玉センサ９のオン時間及びオフ時間の計時に用いることとしている。このカウンタＪは、普通電動役物入賞玉センサ９Ｎ用のもの（カウンタＪ１）、特別電動役物入賞玉センサ９Ｓ用のもの（カウンタＪ２）、ゲート通過玉センサ９Ｇ用のもの（カウンタＪ３）というように、監視対象の玉センサ９毎に定義している。
【実施例２】
【００９２】
図１３は、各玉センサ９毎の最小オン時間相当及び最小オフ時間相当の比較基準値をまとめた実施例２にかかるテーブルであって、電波ゴトに対する不正の監視対象とする玉センサ９に、第１始動口８１の入賞玉センサ９Ｃ及び各一般入賞口４１，４２，４３の入賞玉センサ９Ｕ，９Ｌ，９Ｒをも加え、遊技者利益に直接関係する玉センサ９の全てについて不正を監視するようにしたものである。
【００９３】
第１始動口８１の入賞玉センサ９Ｃ及び各一般入賞口４１，４２，４３の入賞玉センサ９Ｕ，９Ｌ，９Ｒについての実測値はないが、上述したとおりスルーゲートＧに対する最小オン時間ＯＮｍｉｎ及び最小オフ時間ＯＦＦｍｉｎを下回ることはないと考えられるため、スルーゲートＧに対するものと同一とし、それぞれ、最小オン時間ＯＮｍｉｎ＝１１［割込］及び最小オフ時間ＯＦＦｍｉｎ＝２７［割込］に設定している。
【実施例３】
【００９４】
図１４は、各玉センサ９毎の最小オン時間相当及び最小オフ時間相当の比較基準値をまとめた実施例３にかかるテーブルであって、遊技者利益に直接関係する玉センサ９の全てについて不正を監視するようにしていると共に、制御装置ＣＮの処理負担を軽減する観点から、その比較基準値は、遊技盤２に対する実射試験で予め計測した玉センサ９毎の出力の実測値に基づいて、そのうちの最小値であるスルーゲートＧに対するものを代表値として、各玉センサ９に共通設定している。すなわち、全ての玉センサ９について、最小オン時間ＯＮｍｉｎ＝１１［割込］及び最小オフ時間ＯＦＦｍｉｎ＝２７［割込］に設定している。
【００９５】
なお、監視対象の玉センサ９は、普通電動役物入賞玉センサ９Ｎ、特別電動役物入賞玉センサ９Ｓ、ゲート通過玉センサ９Ｇに限定し、これらについての最小オン時間相当及び最小オフ時間相当の比較基準値を、最小値であるスルーゲートＧに対するものを代表値とし、最小オン時間ＯＮｍｉｎ＝１１［割込］及び最小オフ時間ＯＦＦｍｉｎ＝２７［割込］に共通設定してもよい。
【００９６】
図１５は、主制御部ＭＣのタイマー割込周期すなわち本例では８００μｓｅｃ毎に、監視対象の玉センサ９それぞれについて実行する玉センサ監視処理のサブルーチンであって、前記オン時間計時手段Ｔ、前記オフ時間計時手段Ｆ、前記オン時間異常判定手段Ｘ、前記オフ時間異常判定手段Ｙを含む玉センサ不正監視装置をソフトウェア上で構築したものである。
【００９７】
このサブルーチンは、８００μｓｅｃ毎に、普通電動役物入賞玉センサ９Ｎについても、特別電動役物入賞玉センサ９Ｓについても、ゲート通過玉センサ９Ｇについても、さらに、監視対象に他の入賞玉センサ９Ｃ，９Ｕ，９Ｌ，９Ｒを含める場合は、これら各々の玉センサ９Ｃ，９Ｕ，９Ｌ，９Ｒ何れについても、必ず一回ずつ呼び出されて実行されるものである。
【００９８】
以下、玉センサ９というときは、サブルーチンの呼び出しにかかる玉センサが、普通電動役物入賞玉センサ９Ｎなら該玉センサ９Ｎを、特別電動役物入賞玉センサ９Ｓなら該玉センサ９Ｓを、ゲート通過玉センサ９Ｇなら該玉センサ９Ｇを、入賞玉センサ９Ｃなら該玉センサ９Ｃを、入賞玉センサ９Ｕなら該玉センサ９Ｕを、入賞玉センサ９Ｌなら該玉センサ９Ｌを、入賞玉センサ９Ｒなら該玉センサ９Ｒを意味する。
【００９９】
先ず、ステップ１で、主制御部ＭＣのＲＡＭのワーク領域に定義し且つ玉センサ９の検出出力の状態が格納される変数Ａと変数Ｂにおいて、変数Ｂの方に、玉センサ９の検出出力の前回の状態が格納された変数Ａの値（オフ（ＯＦＦ）であった場合は０、オン（ＯＮ）であった場合は１）を退避し、ステップ２で、変数Ａに、玉センサ９の検出出力の今回の状態、すなわちオフ（ＯＦＦ）である場合は０、オン（ＯＮ）である場合は１を格納する。
【０１００】
続いて、ステップ３で、変数Ａと変数Ｂとのエクスクルーシブオアの演算をし、今回が１で前回が０か、今回が０で前回が１かのどちらかで、その演算結果が１となるか否か、すなわち検出出力のエッジを検知したか否かを判定する。なお、今回が１で前回も１か、今回が０で前回も０なら、その演算結果は０となり、エッジの検知はないことになる。
【０１０１】
演算結果が１でなく０であり、エッジの検知がない場合、ステップ４で、玉センサ９のオン時間又はオフ時間を計時するために定義したカウンタＪのカウント値が所定の上限値以上か否か、例えば、２バイトの最高数値である６５５３５に達したか否かを判定する。上限値以上でない場合は、ステップ５で、カウンタＪのカウント値をプラス１してカウントアップし、サブルーチンを抜ける。これにより、玉センサ９のオン時間又はオフ時間が８００μｓｅｃを１単位として計時されることになる。
【０１０２】
実際には、サブルーチンの呼び出しにかかる玉センサが、普通電動役物入賞玉センサ９Ｎなら該玉センサ９Ｎ用のカウンタＪ１に、特別電動役物入賞玉センサ９Ｓなら該玉センサ９Ｓ用のカウンタＪ２に、ゲート通過玉センサ９Ｇなら該玉センサ９Ｇ用のカウンタＪ３に、入賞玉センサ９Ｃなら該玉センサ９Ｃ用のカウンタＪ４に、入賞玉センサ９Ｕなら該玉センサ９Ｕ用のカウンタＪ５に、入賞玉センサ９Ｌなら該玉センサ９Ｌ用のカウンタＪ６に、入賞玉センサ９Ｒなら該玉センサ９Ｒ用のカウンタＪ７に、それぞれのオン時間又はオフ時間が入ることになる。
【０１０３】
カウンタＪが上限値以上、すなわち、８００μｓｅｃ×６５５３５＝約５２．４秒以上とき、カウンタＪのカウントアップは停止され、ステップ３により次のエッジが検知されるまでカウント値は６５５３５に維持される。このため、オン時間又はオフ時間、とりわけオフ時間が長く続いても、有限のカウンタＪが不用意に０にリセットされてしまう弊害がなく、ソフトウェア上で良好に計時及びその監視が行える。
【０１０４】
ステップ３で、変数Ａと変数Ｂとのエクスクルーシブオアの演算結果が１で、エッジの検知がある場合、ステップ６で、今回の状態が格納された変数Ａが１のオン（ＯＮ）か否かを判定し、ＮＯ判定すなわち１でなく０のオフ（ＯＦＦ）の場合、オン（ＯＮ）が終わってオフ（ＯＦＦ）エッジが検知されたことになり、カウンタＪにはオン（ＯＮ）時間の計時結果が入っていることになる。そして、ステップ７で、カウンタＪのオン（ＯＮ）時間が最小オン（ＯＮ）時間相当値であるＯＮｍｉｎ［割込］を下回るか否かを判定する。
【０１０５】
このステップ７での比較基準値となる最小オン（ＯＮ）時間相当値ＯＮｍｉｎ［割込］は、実施例１では、普通電動役物入賞玉センサ９Ｎについては２０、特別電動役物入賞玉センサ９Ｓについては２１、ゲート通過玉センサ９Ｇについては１１である。また、実施例２では、普通電動役物入賞玉センサ９Ｎについては２０、特別電動役物入賞玉センサ９Ｓについては２１、ゲート通過玉センサ９Ｇ及びその他の入賞玉センサ９Ｃ，９Ｕ，９Ｌ，９Ｒについては１１である。さらに、実施例３では、全ての玉センサ９Ｎ，９Ｓ，９Ｇ，９Ｃ，９Ｕ，９Ｌ，９Ｒについて１１である。
【０１０６】
ステップ６で、今回の状態が格納された変数Ａが１のオン（ＯＮ）である判定がされた場合、オフ（ＯＦＦ）が終わってオン（ＯＮ）エッジが検知されたことになり、カウンタＪにはオフ（ＯＦＦ）時間の計時結果が入っていることになる。そして、ステップ８で、カウンタＪのオフ（ＯＦＦ）時間が最小オフ（ＯＦＦ）時間相当値であるＯＦＦｍｉｎ［割込］を下回るか否かを判定する。
【０１０７】
このステップ８での比較基準値となる最小オフ（ＯＦＦ）時間相当値ＯＦＦｍｉｎ［割込］は、実施例１では、普通電動役物入賞玉センサ９Ｎについては４８、特別電動役物入賞玉センサ９Ｓについては３７、ゲート通過玉センサ９Ｇについては２７である。また、実施例２では、普通電動役物入賞玉センサ９Ｎについては４８、特別電動役物入賞玉センサ９Ｓについては３７、ゲート通過玉センサ９Ｇ及びその他の入賞玉センサ９Ｃ，９Ｕ，９Ｌ，９Ｒについては２７である。さらに、実施例３では、全ての玉センサ９Ｎ，９Ｓ，９Ｇ，９Ｃ，９Ｕ，９Ｌ，９Ｒについて２７である。
【０１０８】
ステップ７で、カウンタＪのオン（ＯＮ）時間が最小オン（ＯＮ）時間相当値であるＯＮｍｉｎ［割込］を下回るＹＥＳの判定（異常を検出した判定）がされた場合、又は、ステップ８で、カウンタＪのオフ（ＯＦＦ）時間が最小オフ（ＯＦＦ）時間相当値であるＯＦＦｍｉｎ［割込］を下回るＹＥＳの判定（異常を検出した判定）がされた場合、ステップ９で、主制御部ＭＣのＲＡＭのワーク領域に定義する電波ゴト検知エラーフラグに１をセットしてＯＮし、ステップ１０で、カウンタＪをリセットして０をセットし、サブルーチンを抜ける。
【０１０９】
この電波ゴト検知エラーフラグがＯＮされると、このフラグＯＮの情報が主制御部ＭＣから第１周辺制御部ＳＣ１を経て第２周辺制御部ＳＣ２に送信され、フロントランプ５１〜５５のうち、エラー報知のために割り付けた特定のランプ、例えば上部右寄りの二つのランプ５３，５４（図１参照）を、特定態様例えば交互に点灯させる。こうして、店員に電波ゴトが疑い得ることを知らせ、不正行為が実際にあるか否かの確認作業等が行えるようにしている。
【０１１０】
電波ゴト検知エラーフラグのＯＮのみで直ちに遊技機を異常停止等するのではなく、ランプの点灯による店員への注意喚起に止めているのは、誤検出も皆無ではないことを考慮し、遊技者に極力失礼のないようにする趣旨である。もっとも、電波ゴト検知エラーフラグのＯＮにより、賞玉の払出しを停止させたり、玉の発射を停止させたりする等、もっと厳格なペナルティを課すものとしてもよい。
【０１１１】
ステップ７で、カウンタＪのオン（ＯＮ）時間が最小オン（ＯＮ）時間相当値であるＯＮｍｉｎ［割込］を下回らないＮＯの判定（異常を検出しない判定）がされた場合、又は、ステップ８で、カウンタＪのオフ（ＯＦＦ）時間が最小オフ（ＯＦＦ）時間相当値であるＯＦＦｍｉｎ［割込］を下回らないＮＯの判定（異常を検出しない判定）がされた場合、ステップ１０で、カウンタＪをリセットして０をセットし、サブルーチンを抜ける。
【０１１２】
図１６に示すように、一つのパチンコ玉が玉センサ９を貫通する際、検出開始となる点ａに到達後、検出終了となる点ｂに到達するまでの正規にオンの期間にある玉センサ９に向けて、オフの状態を強制的に挿入する不正電波が照射された場合、玉センサ９の検出出力の結果は、一つの正規のオンの期間が細かく分断され、想定される最小オン時間相当の比較基準値ＯＮｍｉｎよりもオン時間が短くなることがある。
【０１１３】
この場合、図１５のステップ７でＹＥＳの異常判定がされ、ステップ９で電波ゴト検知エラーフラグがＯＮされ、フロントランプ５３，５４でのエラー報知により、店員は適切な対応をとることができる。このため、一入賞を複数入賞に見せ掛ける等の新手の電波ゴトを極力見逃すことなく、不正に対する監視精度を高めることができる。
【０１１４】
また、同時に、図１６に示すように、不正電波の照射により、玉センサ９の検出出力の結果は、一つの正規のオンの期間の途中に、想定される最小オフ時間相当の比較基準値ＯＦＦｍｉｎよりも短いオフ時間が挿入されることがある。
【０１１５】
この場合、図１５のステップ８でＹＥＳの異常判定がされ、ステップ９で電波ゴト検知エラーフラグがＯＮされ、フロントランプ５３，５４でのエラー報知により、店員は適切な対応をとることができる。このため、一入賞を複数入賞に見せ掛ける等の新手の電波ゴトに対する監視精度を一層高めることができる。
【０１１６】
以上のものでは、パチンコ遊技機１への適用例を示したが、アレンジボール遊技機等の他の弾球遊技機にも同様に適用できる。また、弾球遊技機だけではなく、メダルの代わりにパチンコ玉を投入して入賞ラインを有効化し、後はスロットマシンの遊技を楽しむパロット等と呼ばれるゲーム機等にも適用でき、その投入するパチンコ玉を検出する貫通型の玉センサ９に対する不正を監視する玉センサ不正監視装置に広く適用できる。
【０１１７】
本発明では、玉センサ９がオフからオンに切換わるオンエッジの検知からオンからオフに切換わるオフエッジの検知までのオン時間を計時するオン時間計時手段Ｔと、オン時間計時手段Ｔで計時するオン時間が、予め設定し且つ想定される最小オン時間相当の比較基準値未満となるとき異常と判定するオン時間異常判定手段Ｘとを含むことを特徴とするが、玉センサ９がオンからオフに切換わるオフエッジの検知からオフからオンに切換わるオンエッジの検知までのオフ時間を計時するオフ時間計時手段Ｆと、オフ時間計時手段Ｆで計時するオフ時間が、予め設定し且つ想定される最小オフ時間相当の比較基準値未満となるとき異常と判定するオフ時間異常判定手段Ｙとを含むことを特徴とする別発明も成立し得る。
【産業上の利用可能性】
【０１１８】
主に、風俗営業等の規制及び業務の適正化等に関する法律第２条第１項第７号のぱちんこ屋や同８号の営業にかかる店舗等での営業に供される弾球遊技機の産業分野において有用である。
【符号の説明】
【０１１９】
２；遊技盤
６；大入賞口
８１；第１始動口
８２；第２始動口
４１〜４３；一般入賞口
Ｇ；スルーゲート
９；玉センサ
９Ｃ；第１始動口の入賞玉センサ
９Ｎ；第２始動口の普通電動役物入賞玉センサ
９Ｓ；大入賞口の特別電動役物入賞玉センサ
９Ｇ；スルーゲートのゲート通過玉センサ
９Ｕ，９Ｌ，９Ｒ；一般入賞口の入賞玉センサ
Ｊ；カウンタ
Ｔ；オン時間計時手段
Ｆ；オフ時間計時手段
Ｘ；オン時間異常判定手段
Ｙ；オフ時間異常判定手段
ＣＮ；制御装置
ＭＣ；主制御部
【図１】
2011194102.tif 000003
【図２】
2011194102.tif 000004
【図３】
2011194102.tif 000005
【図４】
2011194102.tif 000006
【図５】
2011194102.tif 000007
【図６】
2011194102.tif 000008
【図７】
2011194102.tif 000009
【図８】
2011194102.tif 000010
【図９】
2011194102.tif 000011
【図１０】
2011194102.tif 000012
【図１１】
2011194102.tif 000013
【図１２】
2011194102.tif 000014
【図１３】
2011194102.tif 000015
【図１４】
2011194102.tif 000016
【図１５】
2011194102.tif 000017
【図１６】
2011194102.tif 000018